(57)【要約】【課題】遊技領域内において表示領域を可能な限り大きく取ることを可能とした弾球遊技機を提供することである。【解決手段】遊技盤ベース１９に遊技球誘導部材２２と遊技に関する図柄・演出等表示を行う表示装置９を備えてなる弾球遊技機であって、少なくとも遊技盤ベース１９及び遊技球誘導部材２２を透明の合成樹脂材で形成すると共に、該透明遊技盤ベース１９の裏面側に表示装置９を配設し、該表示装置９で表示する表示領域Ｂが、透明遊技球誘導部材２２の配設位置を超えた大きい領域とした。【選択図】    図１
2005028120.tif 000002
【特許請求の範囲】
【請求項１】
遊技盤ベースに遊技球誘導部材と遊技に関する表示を行う表示装置を備えてなる弾球遊技機であって、
少なくとも遊技盤ベース及び遊技球誘導部材を透明部材で形成すると共に、
遊技盤ベース裏面側に表示装置を配設し、
該表示装置で表示する表示領域が、遊技球誘導部材配設位置を超えた大きい領域としたことを特徴とする弾球遊技機。
【請求項２】
遊技盤ベース及び遊技球誘導部材の全部又は一部が透明部材で形成されていることを特徴とする請求項１に記載の弾球遊技機。
【請求項３】
透明部材が無色透明であることを特徴とする請求項２に記載の弾球遊技機。
【請求項４】
透明部材が合成樹脂材であることを特徴とする請求項２又は３のいずれかに記載の弾球遊技機。
【請求項５】
遊技球誘導部材は、遊技盤ベースに取り付けられるベース部と、該ベース部から立上げ形成される遊技球誘導面部とから構成されていることを特徴とする請求項２乃至４のいずれかに記載の弾球遊技機。
【請求項６】
遊技球誘導部材は、遊技盤ベースと共に一体成形されて遊技盤ベースの表面所望位置に遊技球誘導面部が立設されていることを特徴とする請求項２乃至４のいずれかに記載の弾球遊技機。
【請求項７】
遊技球誘導部材は、遊技領域の中央部上方に配設される天通路と、遊技領域において天通路よりも下方に配設されるステージであることを特徴とする請求項５又は６のいずれかに記載の弾球遊技機。
【請求項８】
遊技盤ベースに設けられた遊技球通過検知領域の上方に配設される遊技球誘導部材は、該遊技球通過検知領域の上方部位に遊技球落下部を設けていることを特徴とする請求項５乃至７のいずれかに記載の弾球遊技機。
【請求項９】
表示装置は、識別情報表示装置であることを特徴とする請求項１乃至８のいずれかに記載の弾球遊技機。
【請求項１０】
表示装置は、識別情報表示装置と、識別情報表示以外の演出効果を高める表示装置からなることを特徴とする請求項１乃至８のいずれかに記載の弾球遊技機。
【請求項１１】
表示領域は、遊技球誘導部材にて画成された領域を含むことを特徴とする請求項１乃至１０に記載の弾球遊技機。
【請求項１２】
遊技盤ベースは、表示装置の表示領域と重なる領域を透明部材で形成し、
該透明部材からなる領域が複数箇所形成されていることを特徴とする請求項１に記載の弾球遊技機。
【発明の詳細な説明】
【技術分野】
【０００１】
本発明は、弾球遊技機、特に遊技盤ベースに遊技球誘導部材と、遊技に関する図柄・演出等表示を行う表示装置を備えてなる弾球遊技機に関する。
なお、本明細書において、遊技球誘導部材とは、遊技領域に打ち出された遊技球が当たり、遊技球の流下方向を転動案内する部材をいうものとする。
【背景技術】
【０００２】
この種の弾球遊技機の一般的な中央役物は、遊技領域において遊技球誘導部材（天通路やステージと称されるもの等）に囲まれた領域に表示装置（例えば液晶表示部）を有し、該遊技球誘導部材により囲まれた狭い領域内にて表示装置により特別図柄や各種演出等の表示を行っている（例えば特許文献１参照。）。
【０００３】
従来の弾球遊技機にあっては、図８に示すように、遊技盤ベース１００の略中央付近に、表裏面に貫通する開口（取り付け穴）２００を形成し、該開口２００に遊技球誘導部材（天通路やステージと称されるもの等）３００と表示装置４００を組み込んで取り付けていたものであったため、遊技領域中における表示領域は自ずから制約されてしまうというのが要因であった。
【０００４】
近年、この表示部（表示領域）を大領域（大型化）として、演出効果を高めようとする傾向がある。
しかし、従来のこのような弾球遊技機の中央役物の表示部は、中央役物の遊技球誘導部材に囲まれた表示領域が存在し、これにとらわれずに各種表示をすることは不可能であった。
【特許文献１】特開２００２−３０６７０８号（図１，図２）
【発明の開示】
【発明が解決しようとする課題】
【０００５】
本発明は、従来技術の有するこのような問題点に鑑みなされたもので、その目的とするところは、遊技領域内において表示領域を可能な限り大きく取ることを可能とした弾球遊技機を提供することである。
【課題を解決するための手段】
【０００６】
前記目的を達成するために本発明がなした技術的手段は、例えば、遊技盤ベース１９に遊技球誘導部材２２と遊技に関する表示を行う表示装置（液晶ディスプレイ等）９を備えてなる弾球遊技機であって、少なくとも遊技盤ベース１９及び遊技球誘導部材２２を透明部材で形成すると共に、遊技盤ベース１９裏面側に表示装置９を配設し、該表示装置９で表示する表示領域Ｂが、遊技球誘導部材２２配設位置を超えた大きい領域としたことを特徴とする弾球遊技機とした点にある。
このような技術的手段を採用することにより、遊技盤ベース１９の裏側に表示装置９を配設するものとしても、遊技盤ベース１９表面から表示装置９の図柄や画像などが直接視認できる。従って、従来のように、遊技盤ベースに形成した開口に表示装置を嵌め込む構成を採用しなくてよいため、遊技領域Ａにおける表示領域Ｂの制約を受けずに済む。これにより、遊技領域Ａ中で大きな表示領域Ｂが確保でき、各種表示が自由に行え、演出効果を向上させることができる。
また、たとえ表示領域Ｂを大きく取り、その領域Ｂ内に遊技球誘導部材２２が存在していても、該遊技球誘導部材２２が裏側の表示装置９の表示を妨げるようなこともない。従って、遊技球誘導部材２２配設領域を超えて大きな表示領域Ｂが確保できる。
従来のように遊技球誘導部材及び表示装置嵌め込み固定用の開口を設ける必要が無いため、開口と遊技球誘導部材の位置合わせ、開口と表示装置の位置合わせなどの面倒な作業手間も解消される。
【０００７】
また、遊技盤ベース１９及び遊技球誘導部材２２は、全部又は一部が透明部材で形成されているものとする。
遊技盤ベース１９及び遊技球誘導部材２２の全部を透明部材で形成することにより、遊技領域Ａ全域が表示領域Ｂとして確保でき、また、一部を透明部材とすることで、その他の非透明部分では、遊技盤ベース１９の裏面側に配設する表示装置９の表示と関連性のある着色装飾などを施すことができる。
【０００８】
透明部材は無色透明とする。これにより、表示装置９による各種図柄・演出等の表示が、その色合いなどの面における制限が無い。また、遊技盤ベース１９裏面側の表示装置９の演出等が表示可能な程度であれば有色透明部材を採用することも可能である。
透明部材は、例えば合成樹脂材である。
このように透明な合成樹脂材を採用することで、硬度・強度を保ちつつ表示面全体のクリア性が向上し、遊技領域の見栄えも向上し得る。
【０００９】
遊技球誘導部材２２は、遊技盤ベース１９に取り付けられるベース部２４，３０と、該ベース部２４，３０から立上げ形成される遊技球誘導面部２７，３１とから構成されている。
遊技領域に打ち出された遊技球は、遊技球誘導部材２２の遊技球誘導面部２７，３１に沿って任意の方向に流下する。そしてこの遊技球誘導部材２２は、ベース部２４，３０により遊技盤ベース１９に取り付け固定される。
【００１０】
また、遊技球誘導部材は、遊技盤ベースと共に一体成形されて遊技盤ベースの表面所望位置に遊技球誘導面部が立設されているものとしてもよい。
このように遊技球誘導部材が遊技盤ベースと一体成形されるものの場合、少なくとも遊技球誘導面部のみが遊技盤ベース表面から立設されていればよく、ベース部が不要となる。ベース部が不要となる結果、ベース部の肉厚分がなくなるため、遊技盤ベース裏面側の表示装置の画像・演出表示などがさらに視認しやすくなる。
【００１１】
遊技球誘導部材２２は、遊技領域Ａの中央部上方に配設される天通路２３と、遊技領域Ａにおいて天通路２３よりも下方に配設されるステージ２９とする。
この遊技球誘導部材２２を構成する天通路２３とステージ２９を透明部材により形成すれば、表示領域Ｂを大きく取り、その領域Ｂ内に天通路２３とステージ２９が存在していても、これらが裏側の表示装置９の表示を妨げるようなこともない。
【００１２】
また、遊技盤ベース１９に設けられた遊技球通過検知領域（例えば、入賞口（始動口）１２）の上方に配設される遊技球誘導部材２２（ステージ２９）は、該遊技球通過検知領域の上方部位に遊技球落下部３２を設けるものとする。
従来のように遊技盤ベースに凹設した開口にステージを嵌め込む構成とは異なり、平坦な遊技盤ベース１９面上にステージ２９を立設する構成としているため、ステージ２９の遊技球誘導面部３１とガラス板４との間の距離が狭くなり、遊技球誘導面部３１とガラス板４との間から遊技球通過検知領域へと遊技球を落下させることは不可能なためである。従って、ステージ２９を転動した遊技球は遊技球落下部３２により遊技球通過検知領域方向へと落下可能となる。
【００１３】
前記表示装置９は、識別情報表示装置のみとするか、若しくは、識別情報表示装置と、識別情報表示以外の演出効果を高める表示装置からなる構成を採用することができる。すなわち、遊技盤ベース１９を透明部材で形成したことで、表示領域Ｂが従来と比して大きくなったため、識別情報表示装置を大型にして大きな表示で視認性を向上させることもできる。また、表示領域Ｂの大型化により、遊技領域Ａ中に識別情報表示装置と共に、他の演出を表示する装置、たとえばセカンドゲームなどを表示する表示装置を１個乃至複数個併設することもでき、遊技盤に対して真正面を向いた状態の遊技者の視界領域で無理なく複数の表示が確認できる。
【００１４】
また、前記表示領域Ｂは、遊技球誘導部材２２にて画成された領域を含むものとする。これにより、遊技球誘導部材２２にて画成された（囲まれた）領域を超えた領域での広範囲な表示が可能となる。
【００１５】
さらに、前記遊技盤ベース１９は、表示装置９の表示領域Ｂと重なる領域を透明部材ａで形成し、該透明部材ａからなる領域が複数箇所形成されている構成としてもよい。
本発明によれば、単一の表示装置９であったとしても、各透明部材ａからなる領域を介して、表示装置９が恰も独立しているかのように演出することができ、遊技者に強い印象を与え、遊技の興趣の向上を図ることができる。
また、各透明部材ａからなる領域を介して、遊技に関する別個の演出ができ、遊技の興趣の向上を図ることができる。別個の表示とは、同一又は異なる画像などを夫々の透明部材ａを介して同時に又は別個独立して表示させることができる。
さらに、夫々の透明部材ａの裏側に、夫々別個の表示装置９を配置することができ、遊技に関する異なる表示を提供することができる。
例えば、遊技領域Ａ中に識別情報表示装置９と共に、他の演出を表示する装置（セカンドゲーム）などを表示する表示装置９を併設することもでき、遊技盤１８に対して真正面を向いた状態の遊技者の視界領域で無理なく複数の表示が確認できる。
【発明の効果】
【００１６】
本発明によれば、遊技盤ベースの裏側に表示装置を配設するものとしても、遊技盤ベース表面から表示装置の図柄や画像などが直接視認できる。従って、従来のように、遊技盤ベースに形成した開口に表示装置を嵌め込む構成を採用しなくてよいため、遊技領域における表示領域の制約を受けずに済む。これにより、遊技領域中で大きな表示領域が確保でき、各種表示が自由に行え、演出効果を向上させることができる。また、たとえ表示領域を大きく取り、その領域内に遊技球誘導部材が存在していても、該遊技球誘導部材が裏側の表示装置の表示を妨げるようなこともない。従って、遊技球誘導部材配設領域を超えて大きな表示領域が確保できる。
従来のように遊技球誘導部材及び表示装置嵌め込み固定用の開口を設ける必要が無いため、開口と遊技球誘導部材の位置合わせ、開口と表示装置の位置合わせなどの面倒な作業手間も解消される。
【発明を実施するための最良の形態】
【００１７】
以下、本発明の一実施の形態に係る弾球遊技機について、図を参照して説明する。なお、本実施形態は本発明の一実施形態にすぎず何等これらに限定して解釈されるものではなく、本発明の範囲内で設計変更可能である。
図１は、本発明を適用した弾球遊技機（パチンコ機ともいう）の一例であり、遊技枠１に本体２を開閉可能に支持している。
本体２の前面上部には、ガラス板４を嵌めたフロント扉３を有し、その内方に遊技盤ベース１９を備える。本体２の前面下部には、貸球及び賞球を受け止める上皿５、上皿５満杯時に球出口の内方で溢れた球を受け止める下皿６、発射装置のハンドル７を備える。ハンドル７のレバー７ａを時計方向に回転させることにより、内蔵する発射ソレノイドを作動させて遊技球を遊技領域Ａに打ち出す。
そして、遊技枠１の内枠セット８側には、特別図柄・演出表示等を行う液晶ディスプレイなどからなる識別情報表示装置（本実施形態では特別図柄表示装置とする。）９が装着されている。本実施形態にて使用される液晶ディスプレイ９は、図２で、ＨとＷで示す範囲の遊技盤ベース１９の大型の表示領域Ｂに対応するサイズ（例えば液晶画面１５インチサイズなど）のものとする。
【００１８】
遊技盤ベース１９は、遊技領域Ａを区画すると共に、該遊技領域Ａに発射ソレノイドから打ち出される発射球を導くガイドレール２０、遊技領域Ａに打ち出された遊技球が当たり、遊技球の流下方向を転動案内する遊技球誘導部材２２、前記表示装置の変動表示を起動すると共に、大当たりとするか否かの抽選処理を起動するチューリップ式の普通電動役物からなる始動口１２、大当たり時に開放するアタッカと称する第一種特別電動役物の大入賞口１３、一般入賞口となる左右の入賞口１４、左右の風車１５、そして遊技領域での入賞を逃したアウト球を排出するアウト口１６を備える。図中１７は、遊技盤ベース１９に打たれている多数の遊技釘である。なお、図中、遊技盤ベース１９の裏側下方に配設されているのは主制御基板１８である。
上皿５には、効果音やＢＧＭ、エラー音などを出力するステレオ式のスピーカ１０を内蔵すると共に、遊技機に隣接して設置される図示しないＣＲカードユニットから球貸し等するための操作スイッチ１１を備える。
【００１９】
本発明は、遊技盤ベース１９と遊技球誘導部材２２の材質を、透明な部材とし、かつ遊技盤ベース１９の裏面側に表示装置９を配設して、透明な遊技盤ベース１９と遊技球誘導部材２２を介して、遊技盤ベース１９裏面側の大領域の表示装置９の図柄、演出表示等を遊技盤ベース１９上に大きく表示することを可能とするものとした点に本発明の特徴部分を有するため、以下その特徴部分の説明に留め、その他の構成部分についての詳細な説明は省略する。
【００２０】
遊技盤ベース１９は、本実施形態では、ガイドレール２０により区画された遊技領域Ａを構成する部分のみを少なくとも透明部材ａにより形成し、始動口１２と大入賞口１３と入賞口１４を取り付ける開口、及びアウト口１６のみが遊技盤ベース１９前面に開けられている。また、本実施形態では、遊技球誘導部材２２を構成するステージ２９よりも下方部分の領域に遊技盤ベース１９の裏面側から化粧パネル２１を取り付けて遊技盤ベース１９の装飾を図っている。
すなわち、本実施形態によれば、この化粧パネル２１を取り付けた領域を除く残りの領域、すなわち、図２で符号ＨとＷで示す大きな領域全体が表示領域Ｂとなっており、この表示領域Ｂの裏側に表示装置９を配設する。
なお、前記遊技盤ベース１９は、遊技領域Ａ以外の領域を非透明性部材で形成してもよく、また表示装置９の表示領域Ｂと重なる領域を透明部材ａで形成し、該透明部材ａからなる領域が複数箇所形成されている構成としてもよい。
【００２１】
遊技盤ベース１９は、例えば次のような形態を一例として挙げられる。なお、これらは一例にすぎず、遊技盤ベース１９の全体形状は特に限定されない。
【００２２】
図３（ａ）は、表示領域Ｂにあたる部分全体を透明部材ａで形成すると共に、その下方領域全体を非透明部材ｂである木製部材で形成してなるもの、図３（ｂ）は、全体を木製部材ｂで形成すると共に、その中心部分に嵌合穴を形成し、該嵌合穴に表示領域Ｂとなる透明部材ａを嵌合してなるもの、図３（ｃ）は全体を透明部材ａとすると共に、その中心部分に表示領域Ｂとしての透明部分を残してその周囲（裏面側）を着色塗装して非透過（非透明部材）としたもの等が代表例として挙げられる。
【００２３】
図７は、遊技盤ベース１９の全体を正面視略矩形状の木材（非透明部材ｂ）で形成し、その所定箇所に複数個の分離した開口部３３ａ，３３ａ，３３ｂを穿設し、該開口部３３ａ，３３ａ，３３ｂに透明部材ａを嵌め込み、該夫々の透明部材ａの領域を別個の表示領域Ｂ（Ｂ１，Ｂ２，Ｂ３）とすると共に、その夫々分離した表示領域Ｂ（Ｂ１，Ｂ２，Ｂ３）以外の全遊技領域Ａを木製の非透明部材ｂで構成している実施の一例である。
具体的には、遊技盤ベース１９の正面略中央位置に横並びで二箇所の正面視矩形状の開口部３３ａ，３３ａを穿設し、さらに、該遊技盤ベース１９の正面上端寄りに、正面視形状が横長細幅の矩形状の開口部３３ｂを穿設し、夫々の開口部３３ａ，３３ａ，３３ｂに合致する透明部材ａを嵌め込んで、該夫々の透明部材ａの領域を別個の表示領域Ｂ（Ｂ１，Ｂ２，Ｂ３）としている。
図７（ｂ）は本実施例の遊技盤ベース１９を使用した遊技盤１８の一例を示し、本実施例では、遊技盤１８の略中央位置に、横並びで並設される二箇所の表示領域Ｂ１，Ｂ２で夫々表示装置の別々の変動表示をさせるものとし、そして別々の変動表示を起動させるための別個の始動口１２，１２を二箇所横並びで並設させている。この場合変動表示は、夫々の始動口１２，１２により別々に起動される。
また、上端寄りに設けた透明部材ａにあっては、例えば大当たり時などに、大当たり状態であることを表示したり、遊技に関する各種演出表示をする表示装置などが裏側に配置されている。
【００２４】
なお、透明部材ａからなる夫々の表示領域Ｂ（Ｂ１，Ｂ２，Ｂ３）から、裏側に配置した単一の表示装置の所定箇所が視認可能な構成としてもよいが、例えば夫々の表示領域Ｂ（Ｂ１，Ｂ２，Ｂ３）の裏側に、夫々別個の表示装置を配置することも本発明の範囲内である。また、夫々の表示領域Ｂ（Ｂ１，Ｂ２，Ｂ３）では、同一の演出表示又は異なる演出表示のいずれかが表示される。
なお、透明部材ａの正面視形状は上述の形態になんら限定されず、その他の周知形状としたり、若しくは遊技に関する図柄・演出表示などに登場するキャラクタ等を模写した形状等にしたりすることも可能である。
また、複数箇所の透明部材ａを縦方向に並べて設けることも、不規則に並べて設けることも可能で、裏側に配置する表示装置９の表示領域Ｂと重なる位置に透明部材ａを設けるものであればよい。
【００２５】
従って、従来のように、遊技盤ベースの略中央位置に表示装置組み込み用の大きな開口は本発明では設けることがない。
なお、本実施形態のように遊技領域Ａ部分に限らず、遊技盤ベース１９全体を透明部材ａで形成しても構わない。また、遊技領域Ａ全体ではなく上述の表示領域Ｂのみを透明部材ａとすることも可能である。
【００２６】
遊技盤ベース１９を形成する透明部材ａは、遊技球誘導部材２２・入賞口１２・１３・１４などの役物全て及び遊技釘１７等を固定でき、かつ、容易に変形（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂、ポリアリレート樹脂などが任意に選択される。
【００２７】
また、非透明部材ｂは、前記遊技釘１７等を取付固定でき、かつ、容易に変形（曲がらない）又は変質しない程度の硬度・強度等を有し、かつ非透明な材質のものを選択する。例えば、木材や、あるいは非透明で硬質の合成樹脂材などを一例として挙げることができる。合成樹脂材を採択する場合、透明の合成樹脂材の裏面に装飾パネルなどを備えることで非透明部材として用いることも可能である。
遊技盤ベース１９を構成する非透明部材ｂの木材としての一例を挙げると、例えばブナ材、ラワン材、ブナ合板などの合成板、ベニヤ材、マトア材などが例示でき、各種の材質が本発明の範囲内で任意に選択される。
非透明部材ｂは、遊技盤１８の裏側に配置する表示装置９の表示と関連性のある着色・装飾などを施すが限定されず本発明の範囲内で適宜最適な着色・装飾が選択できる。
【００２８】
遊技球誘導部材２２は、遊技領域Ａに打ち出された遊技球が当たり、遊技球の流下（落下）方向を転動案内する部材で、本実施形態では、遊技領域Ａの中央部上方部位（「天」ともいう。）に配設される天通路２３と、遊技領域Ａにおいて天通路２３よりも表面方向から視て下方に配設されるステージ２９とする。なお、本実施形態では天通路２３とステージ２９を遊技球誘導部材２２としているが、単なる一実施形態であって、本発明において、常に天通路とステージを遊技盤ベース上に備えていなければならないというものではなく、天通路２３やステージ２９に代えて、若しくは天通路２３・ステージ２９と共に他の遊技球誘導部材を備えるものであっても本発明の範囲内である。
遊技球誘導部材２２は、遊技盤ベース１９にネジ・ボルトなどを介して固定でき、かつ、容易に変形（曲がらない）又は変質しない程度の硬度・強度を有し、かつ透明な材質のものを選択する。例えば遊技盤ベース１９を形成する透明部材と同様、硬質の合成樹脂材が一例として挙げられ、さらに具体的には無色透明のアクリル樹脂材、ポリカーボネート樹脂、ポリアリレート樹脂などが任意に選択される。
【００２９】
天通路２３及びステージ２９は、その全体形状において特に図示例に限定解釈されるものではなく、本実施形態では、遊技盤ベース１９に取り付けられるベース部２４，３０と、該ベース部２４，３０から立上げ形成される遊技球誘導面部２７，３１とにより夫々構成されている。
【００３０】
天通路２３は、遊技盤ベース１９中央上方に配設される遊技球誘導部材２２で、遊技盤ベース１９にネジ止め固定されるベース部２４と、該ベース部２４の上端縁から正面方向直角に立設されている正面視最上部にある切妻屋根状の第一よろい部２５と、該第一よろい部２５の左右にて下がった状態で、ベース部２４の上端縁に沿って、かつ正面方向直角に立設されている第二よろい部２６と、前記ベース部２４の下端縁全域に沿って、かつ正面方向直角に立設されている遊技球誘導面部２７により構成されており、第一よろい部２５と、左右の第二よろい部２６との間には、遊技球が通過して遊技球誘導面部２７へと案内する切欠き２８が形成されている。なお、切欠き２８の位置、配設数、配設形状などは特に限定はされず設計変更可能である。
また、第一よろい部２５及び左右の第二よろい部２６の上面にあっても、遊技球があたり、遊技球の流下（落下）方向を転動案内する遊技球誘導面部２７である。
なお、天通路の形態は一実施形態にすぎず、他の形態を本発明にて適用することは設計変更可能である。
【００３１】
ステージ２９は、遊技盤ベース１９に設けられた遊技球通過検知領域（本実施形態では始動口１２）の上方に配設される遊技球誘導部材２２で、遊技盤ベース１９にネジ止め固定されるベース部３０と、該ベース部３０の上端縁から正面方向直角に立設されている遊技球誘導面部３１とで構成されている。
そして、始動口１２の上方部位にあたる位置に遊技球落下部３２を設けている。本実施形態では、始動口１２と相対向する遊技球誘導面部３１、すなわち、ステージ２９の遊技球誘導面部３１の最も深い谷部分にあたる部位３１ａを、前面側からベース部方向に向けて、遊技球が落下可能な形状に形成した切欠きをもって遊技球落下部３２としている。
なお、本実施形態では、始動口１２をもって遊技球通過検知領域としているが、特に限定して解釈されるものではなく、例えば、入賞口から遊技球通過センサまでの領域や、ゲート（何らかの遊技価値を与える遊技球の通過領域で、一般的には図柄表示装置の作動開始、または作動停止を行う信号を発生するものを言う。例えばスタートチャッカー等。）などを含むもので、本発明の範囲内で設計変更可能である。
【００３２】
このように遊技球落下部３２をステージに設けた理由は、本発明によれば、従来のように遊技盤ベースに凹設した開口にステージを嵌め込む構成とは異なり、平坦な遊技盤ベース１９面上にステージ２９を立設する構成としているため、ステージ２９の遊技球誘導面部３１とガラス板４との間の距離が狭くなり、遊技球誘導面部３１とガラス板４との間から入賞口１２へと遊技球を落下させることは不可能なためである。
また、遊技球落下部３２は、切欠きに代えて、所望径の穴を設けるものとしてもよく、さらに、ステージ２９を左右二分割構成とし、遊技球が落下可能な隙間を空けて夫々のステージを遊技盤ベース１９に取り付け固定する構成を採用することも可能である。
なお、ステージ２９の形態は一実施形態にすぎず、他の形態を本発明にて適用することは設計変更可能である。
【００３３】
本実施形態では、遊技球誘導部材２２を構成する天通路２３及びステージ２９が、遊技盤ベース１９にベース部２４，３０をネジ止めして取り付ける構成を採用しているが、遊技盤ベース１９裏側に配設する表示装置９の表示に支障を来たさないものであれば他の構成を採用して遊技盤ベース１９に取り付け固定するものとしてもよい。
例えば、天通路２３・ステージ２９に、同一の透明部材で嵌合突起を形成し、この嵌合突起を嵌合させて固定する嵌合凹部を遊技盤ベース側に形成し、両者の嵌合構造によって強固に連結固定する構成であってもよい。
【００３４】
また、遊技球誘導部材２２は、図６に示すように、その形状からして一体成形可能なものであれば、遊技盤ベース１９と共に一体成形されて遊技盤ベース１９の表面所望位置に遊技球誘導面部２７，３１が立設されているものとしてもよい。
このように遊技球誘導部材が遊技盤ベースと一体成形されるものの場合、少なくとも遊技球誘導面部２７，３１のみが遊技盤ベース１９の表面から立設されていればよく、ベース部が不要となる。ベース部２４，３０が不要となる結果、ベース部の肉厚分がなくなるため、遊技盤ベース裏面側の表示装置９の画像・演出表示などがさらに視認しやすくなる。
このように構成すれば、遊技球誘導部材を別途成形する成形手間・成形コスト及び遊技球誘導部材の取り付け手間が軽減できる。
【００３５】
従って、遊技盤ベース１９を透明部材ａで形成すると共にその裏面側に大型の表示装置９を配設し、かつ天通路２３・ステージ２９などの遊技球誘導部材２２も透明部材で形成して遊技盤ベース１９上に取り付けるものとしたため、透明な遊技盤ベース１９の裏側から該遊技盤ベース１９を介して表示装置９で表示する表示領域Ｂが、遊技球誘導部材配設位置を超えた大きい領域、すなわち、従来のように遊技球誘導部材２２（天通路２３とステージ２９）で囲まれた表示領域よりも大きな表示領域Ｂが確保でき、遊技球誘導部材２２の存在にもとらわれず、各種表示をすることができ、演出効果を向上できる。
【００３６】
遊技盤ベース１９及び遊技球誘導部材２２は、本実施形態ではそれぞれの部材の全部を透明な合成樹脂材をもって形成しているが、仕様によっては遊技盤ベース１９と遊技球誘導部材２２のいずれか一方若しくは双方の任意の一部領域のみが透明部材ａで形成されているものとすることも可能で、本発明の範囲内である。
透明部材ａは無色透明とするが、遊技盤ベース１９裏面側の表示装置９の演出等が表示可能な程度であれば有色透明部材を採用することも可能である。透明部材ａは、例えば合成樹脂材である。また仕様によっては遊技盤ベース１９・遊技球誘導部材２２に、模様を施すことも可能である。この場合、模様は無色透明の線図が好ましいが、遊技盤ベース１９裏面側に配設される表示装置９の表示構成によっては有色模様を施すことも可能で本発明の範囲内である。
【００３７】
表示装置９は、前記遊技盤ベース１９の表示領域Ｂのサイズに対応する画面サイズ（例えば、本実施形態では１５インチ）を有している液晶ディスプレイがその一例として適用される。なお、表示装置９は、特に限定されるものではないが、好ましくは前記表示領域Ｂとして確保された全域を一杯に使用できるように設定されているものが良く、種々の形態が適用可能である。
例えば、正面から視て、横方向の三列にわたって数字、記号等の特別図柄（左特別図柄・中特別図柄・右特別図柄）を変動表示させる液晶ディスプレイなどからなる識別情報表示装置が適用可能である。
ここで「識別情報」とは、数字、キャラクタ等で構成され、「識別情報」が所定態様になったことを条件に、所定の遊技状態に移行する可能性のあるもの、例えば特別図柄・普通図柄・飾り図柄や演出態様で当たりを示すもの等も含むものとする。
また、縦方向若しくは斜め方向の識別情報を変動表示させるものであったり、また、キャラクタが表示領域内で動作したり、背景が動作したりするものなど任意に設定可能である。
【００３８】
従って、識別情報は、天通路２３とステージ２９の遊技球誘導部材２２にて画成された（囲まれた）表示領域内で表示するものであってもよいが、これら遊技球誘導部材２２で画成された（囲まれた）表示領域を超えた大きな表示領域を目一杯使用して表示するものであってもよく、また、識別情報を遊技球誘導部材２２で画成された（囲まれた）表示領域内で表示し、その領域及び領域を超えたところで背景を表示すると共に、キャラクタ表示などをすることも可能である。
なお、このような識別情報表示装置と、識別情報表示以外の演出効果を高める表示装置を遊技盤ベース１９の表示領域Ｂ内で、該遊技盤ベース１９の裏面側に並設させる構成を採用することもできる。
【００３９】
また、本実施形態では、遊技盤ベース１９及び遊技球誘導部材２２のみを透明部材により形成するものとしたが、遊技盤ベース１９に配設される部材、若しくは遊技盤ベース１９と一体成形される部材などを透明部材により形成することをなんら妨げるものではなく、本発明の範囲内で適宜設計変更可能である。例えば、ガイドレール２０等を透明部材により形成することは本発明の目的から見ても好ましい実施の形態といえる。
【図面の簡単な説明】
【００４０】
【図１】本発明弾球遊技機の一実施形態を示す開扉状態の概略斜視図。
【図２】遊技盤を拡大して示す概略正面図。
【図３】遊技盤ベースの一実施形態を示す概略斜視図。
【図４】遊技球誘導部材（天通路）の一実施形態を示す斜視図。
【図５】遊技球誘導部材（ステージ）の一実施形態を示す斜視図。
【図６】遊技盤の他の実施形態を拡大して示す概略正面図。
【図７】遊技盤の他の実施形態で、（ａ）は遊技盤ベースを透明部材と非透明部材とに分解した状態を示す概略斜視図、（ｂ）は（ａ）の遊技盤ベースを用いた遊技盤の一例を示す概略正面図。
【図８】従来の弾球遊技機を示す斜視図。
【符号の説明】
【００４１】
９：表示装置（液晶ディスプレイ）
１９：遊技盤ベース
２０：ガイドレール
２１：化粧パネル
２２：遊技球誘導部材
２３：天通路
２４：ベース部
２７：遊技球誘導面部
２８：切欠き
２９：ステージ
３０：ベース部
３１：遊技球誘導面部
３２：遊技球落下部
【図１】
2005028120.tif 000003
【図２】
2005028120.tif 000004
【図３】
2005028120.tif 000005
【図４】
2005028120.tif 000006
【図５】
2005028120.tif 000007
【図６】
2005028120.tif 000008
【図７】
2005028120.tif 000009
【図８】
2005028120.tif 000010